(57)【要約】【課題】  構造が簡素でありながら、スムースに天板が昇降し、かつ、前後に移動せずに昇降する昇降テーブルを提供する。【解決手段】  左右一対の支柱２，２を後部に有する基台枠１と、この支柱２，２に沿って昇降自在に付設した昇降基枠７と、この昇降基枠７に対して水平軸心廻りに回転可能に枢着した天板４、とを具備している。天板姿勢保持機構Ａによって、天板４は水平から垂直状態まで傾動する。【選択図】  図１
2006296631.tif 000002
【特許請求の範囲】
【請求項１】
左右一対の支柱 (２)(２) を後部に有する基台枠（１）と、該支柱 (２)(２) に沿って昇降自在に付設された昇降基枠（７）と、該昇降基枠（７）に対し後縁近傍が水平軸心（Ｌ1 ）廻りに回転可能に枢着された天板（４）とを、具備し、かつ、該天板（４）を水平状態から前方下傾の中間傾斜状態を経て垂直収納状態までの傾動角度範囲（θ）内の所定角度に、上記天板（４）を保持する天板姿勢保持機構（Ａ）を備えたことを特徴とする昇降テーブル。
【請求項２】
左右一対の支柱 (２)(２) を後部に有する基台枠（１）と、レール・ローラガイド機構（Ｂ）を介して該支柱 (２)(２) に沿って昇降自在に付設された昇降基枠（７）と、ガススプリング（９）と定滑車（10）と動滑車（11）とワイヤー（12）を有して上記昇降基枠（７）を上昇方向に弾発付勢する上昇付勢機構（Ｃ）と、上記昇降基枠（７）に対し後縁近傍が水平軸心（Ｌ1 ）廻りに回転可能に枢着された天板（４）とを、具備し、かつ、該天板（４）を水平状態から前方下傾の中間傾斜状態を経て垂直収納状態までの傾動角度範囲（θ）内の所定角度に、上記天板（４）を保持する天板姿勢保持機構（Ａ）を備え、さらに、上記上昇付勢機構（Ｃ）は上記ガススプリング（９）のストローク長さと上記昇降基枠（７）の昇降寸法の比を１対２に設定したことを特徴とする昇降テーブル。
【請求項３】
天板姿勢保持機構（Ａ）は、上記水平軸心（Ｌ1 ）廻りに形成した４半円弧状のガイド溝（14）と該ガイド溝（14）に沿って形成された複数個の係止凹部（15）とを有し上記天板（４）の裏面に固着されたガイド板（16）と、上記昇降基枠（７）に付設された操作レバー（17）と、上記ガイド板（16）の係止凹部（15）に係止自在な係止杆（18）と、該係止杆（18）と上記操作レバー（17）とを連動連結する連動部材（19）と、上記係止杆（18）又は該連動部材（19）を上記係止杆（18）が上記係止凹部（15）に係合する方向に弾発付勢するスプリング（20）と、を備えている請求項１又は２記載の昇降テーブル。
【請求項４】
上記操作レバー（17）のグリップ部（21）を、平面的に見て、水平状態の上記天板（４）の後端縁（４ａ）の近傍下方位置に、配設した請求項３記載の昇降テーブル。
【請求項５】
上記レール・ローラガイド機構（Ｂ）は、上記支柱（２）に固着されたレール（30）と、該レール（30）に対して転動する前後振れ防止ローラ (31)(31) と左右振れ防止ローラ (32)(33)(32) と、を備え、さらに、該レール（30）には上下多段の係止雌部（34）を形成すると共に、該係止雌部（34）に対して係脱自在として係止雄部材（35）を上記昇降基枠（７）に付設し、かつ、天板（４）の前端縁（４ｂ）の裏面に設けた操作部材（36）と上記係止雄部材（35）とを、プッシュプルワイヤ（37）にて連動連結した請求項１，２又は３記載の昇降テーブル。
【請求項６】
上記天板（４）の一部に透視窓部（40）を形成した請求項１，２，３，４又は５記載の昇降テーブル。
【発明の詳細な説明】
【技術分野】
【０００１】
本発明は、昇降テーブルに関する。
【背景技術】
【０００２】
従来、天板の上下位置を、必要に応じて調整することのできる昇降テーブルは、種々知られている。例えば、左右一対の支柱と天板とを、備え、この天板を左右一対の平行リンク機構にて支持して、天板を平行に保ちつつ昇降するものが知られている（例えば特許文献１参照）。
【特許文献１】特開２００１−００８７３７号公報
【発明の開示】
【発明が解決しようとする課題】
【０００３】
しかしながら、上記特許文献１の昇降テーブルでは、天板が平行リンク機構にて昇降するので、天板が僅かに前後（水平）方向へ動くという問題があった。例えば、ベッドサイドに設置して使用する場合に、天板がベッドに接近しすぎることが天板の所定の上下位置で発生する。また、身体弱者が座った位置に対して天板昇降の上下位置によって天板が近づき過ぎたり離れ過ぎるという不都合があった。
また、身体弱者等が絵を描いたり、読書したい場合に、従来の天板は水平のままであったので、使い勝手のよい角度に傾斜できないという不十分な点も残されていた。さらに、施設や学校等に於て、不使用時に天板が水平のままで場所をとるといった問題もあった。
【課題を解決するための手段】
【０００４】
そこで、本発明に係る昇降テーブルは、左右一対の支柱を後部に有する基台枠と、該支柱に沿って昇降自在に付設された昇降基枠と、該昇降基枠に対し後縁近傍が水平軸心廻りに回転可能に枢着された天板とを、具備し、かつ、該天板を水平状態から前方下傾の中間傾斜状態を経て垂直収納状態までの傾動角度範囲内の所定角度に、上記天板を保持する天板姿勢保持機構を備えている。
また、左右一対の支柱を後部に有する基台枠と、レール・ローラガイド機構を介して該支柱に沿って昇降自在に付設された昇降基枠と、ガススプリングと定滑車と動滑車とワイヤーを有して上記昇降基枠を上昇方向に弾発付勢する上昇付勢機構と、上記昇降基枠に対し後縁近傍が水平軸心廻りに回転可能に枢着された天板とを、具備し、かつ、該天板を水平状態から前方下傾の中間傾斜状態を経て垂直収納状態までの傾動角度範囲内の所定角度に、上記天板を保持する天板姿勢保持機構を備え、さらに、上記上昇付勢機構は上記ガススプリングのストローク長さと上記昇降基枠の昇降寸法の比を１対２に設定した。
【０００５】
また、天板姿勢保持機構は、上記水平軸心廻りに形成した４半円弧状のガイド溝と該ガイド溝に沿って形成された複数個の係止凹部とを有し上記天板の裏面に固着されたガイド板と、上記昇降基枠に付設された操作レバーと、上記ガイド板の係止凹部に係止自在な係止杆と、該係止杆と上記操作レバーとを連動連結する連動部材と、上記係止杆又は該連動部材を上記係止杆が上記係止凹部に係合する方向に弾発付勢するスプリングと、を備えている。
また、上記操作レバーのグリップ部を、平面的に見て、水平状態の上記天板の後端縁の近傍下方位置に、配設した。また、上記レール・ローラガイド機構は、上記支柱に固着されたレールと、該レールに対して転動する前後振れ防止ローラと左右振れ防止ローラと、を備え、さらに、該レールには上下多段の係止雌部を形成すると共に、該係止雌部に対して係脱自在として係止雄部材を上記昇降基枠に付設し、かつ、天板の前端縁の裏面に設けた操作部材と上記係止雄部材とを、プッシュプルワイヤにて連動連結した。そして、上記天板の一部に透視窓部を形成するのが好ましい。
【発明の効果】
【０００６】
本発明に係る昇降テーブルは、構造が簡素でありながら、天板を昇降のみならず傾斜も可能であり、絵を描いたり、読書したり、その他多種多様な用途に広く使用できる。しかも、軽い力で昇降作動が可能であり、天板の傾斜、及び、引続いてコンパクトに収納状態（非使用状態）とすることもできる。
【発明を実施するための最良の形態】
【０００７】
図１〜図11に、本発明に係る昇降テーブルの実施の一形態を示す。この昇降テーブルは、あぐらの姿勢や、椅子，ソファー，車椅子等に着座した姿勢に合わせて所望の高さに天板４を昇降でき、この天板４上に、コンピュータ等のＯＡ機器、その他の機械・道具や、食器類や本等の物体を載置して、多目的（多用途）に使用でき、さらに、身体弱者等が絵画を描いたり、読書したり、食事等をするのに好適なものである。
【０００８】
１は基台枠であり、左右一対の支柱２，２を後部に有し、かつ、下部には左右一対の横置部材３，３が水平状・前後方向に配設され、この横置部材３の後端に上記支柱２が立設されるように、相互連結されている。また、左右連結部材５によって左右の支柱２，２が中間高さ位置にて左右連結されている。さらに下端位置等にも左右連結部材５ａを付加する。６は横置部材３に付設の移動用車輪である。
【０００９】
この基台枠１の左右の支柱２，２に沿って昇降自在に昇降基枠７が付設されている。天板４はこの昇降基枠７に載置状として取付けられている。詳しくは、天板４は、昇降基枠７に対し後縁近傍が支軸８にて水平軸心Ｌ1 廻りに回転可能として枢着されている。
そして、天板４を（図１又は図２及び図７に示す）水平状態から、図８に示す前方下傾の中間傾斜状態を経て、図９に示す垂直収納状態（非使用状態）までの約90°の傾斜角度範囲θ内の所定（所望）角度に、天板４を保持する天板姿勢保持機構Ａを、具備している。
【００１０】
また、天板４と昇降基枠７は、レール・ローラガイド機構Ｂを介して、支柱２に沿って昇降自在である。さらに、支柱２に沿って（内部に）、ガススプリング９と定滑車10と動滑車11とワイヤー12等から成る上昇付勢機構Ｃを、備えている。ガススプリング９の弾発伸長力により、昇降基枠７（及び天板４）を、上昇方向に弾発付勢する。
この上昇付勢機構Ｃは、ガススプリング９のストローク長さと昇降基枠７の昇降寸法の比を、１対２に設定して構成されている。
【００１１】
具体的には、ガススプリング９は倒立状に支柱２内に設けられ、支軸13にて支柱２の内部の上方部に枢着され、動滑車11はロッド下端に付設されて、Ｕ字状にワイヤー12の一部（途中部）が懸架され、このワイヤー12の一端12ａは支柱２の中間高さに固着され、他端12ｂは昇降基枠７に固着される。また、このワイヤー12は、他端12ｂと動滑車11の間に於て、定滑車10に懸架して 180°方向変換している。定滑車10はその軸部材が支柱２の内面に固着されており、この定滑車10にて、ワイヤー12の一部が倒立Ｕ字状を呈している。このように、ガススプリング９と昇降基枠７の上下作動距離（ストローク長さ）の比が１対２に設定する。ガススプリング９が例えば 170mm伸長すると、昇降基枠７（天板４）は 340mm上昇する。
【００１２】
天板姿勢保持機構Ａは、水平軸心Ｌ1 廻りに形成した４半円弧状のガイド溝14と、このガイド溝14に沿って（その外周縁に）形成した複数個の係止凹部15とを有するガイド板16を、有する。このガイド板16は天板４の裏面に固着される。さらに、天板姿勢保持機構Ａは、昇降基枠７に付設された操作レバー17と、上記ガイド板16の係止凹部15に択一的に係止自在な係止杆18と、この係止杆18と操作レバー17とを連動連結する連動部材19と、スプリング20とを、具備する。
このスプリング20は、係止杆18又は連動部材19に設けられて、係止杆18をガイド板16の係止凹部15に係合する方向に常時弾発付勢している。
【００１３】
上記操作レバー17の先端のグリップ部21を、平面的に見て、水平状態の天板４の後端縁４ａの近傍下方位置に配設している。しかも、このグリップ部21は後端縁４ａの左右中央位置であって、後端縁４ａに接近した寸法に配置して、手でグリップ部21を握り易く、図３の係止状態から、図４又は図５のように、左右いずれに揺動させたとしても、係止杆18と係止凹部15との係合が離脱して、天板４の揺動（傾動）が可能な状態となる。即ち、操作レバー17を左右いずれに揺動させても良いので、左ききでも右ききでも、操作が可能である。
【００１４】
さらに、詳しく説明すれば、昇降基枠７は、例えば、金属板をプレス加工したチャンネル材又は角張ったＣ型材等の金属型材を、上方開口状に配設した水平状横桁７ａと、この横桁７ａの左右端から垂設された取付片部７ｂ，７ｂとを、有し、正面視が低い門型である。水平状横桁７ａは上下寸法が小さな扁平横断面であって、その内部に、連動部材19、及び、操作レバー17の基部が、収納されている。
【００１５】
連動部材19は、図３〜図５に示すように、複数リンク構造である。つまり、横桁７ａの左右中央に鉛直状の支軸22にて枢着された中央リンク23と、横桁７ａの左右各端に連設された取付片部７ｂの水平状上板部に鉛直状の支軸24にて枢着された揺動リンク25と、上記中央リンク23と揺動リンク25を連結する連結リンク26等をもって、連動部材19が、構成され、操作レバー17の基端は、中央リンク23に固着され、操作レバー17と中央リンク23をもってＴ字状揺動部材を形成している。また、支軸24を間として、連結リンク26の連結ピン27と反対側に（前述の）係止杆18が固着される。48は、中央リンク23と連結リンク26とを枢結するピンである。このように構成することで、天板４の後端縁４ａの左右中央の僅か下方位置のグリップ部21を手で握って、左でも右でも揺動させれば、（図３から図４又は図５の如く、）連動部材19を介して、係止杆18, 18が支軸24廻りに揺動して、係止凹部15から（スプリング20の弾発付勢力に抗して）離脱する。
【００１６】
なお、天板４の平面形状は、図例では、後端縁４ａの左右角部には、切欠部28, 28を有し、支柱２との干渉を避けている。かつ、前端縁４ｂの中央には、矩形状凹部29が形成され、天板４の中央へ接近しやすく使い易くなっている。また、上記矩形凹部29を弧状凹部としても良い。
なお、上述の天板姿勢保持機構Ａの連動部材19として、（図示省略の）プッシュプルワイヤ方式とするも自由である。また、スプリング20は、例えば引張コイルバネを用いて、連結リンク26と揺動リンク25を連繋し、図３の状態が最短であって、図４又は図５では、伸長して、大きな復元力が作用するように取付けられている。
【００１７】
次に、レール・ローラガイド機構Ｂについて説明すると、（図６及び図10に示す如く、）このレール・ローラガイド機構Ｂは、支柱２に固着されたレール30と、このレール30に対して転動する上下２個の前後振れ防止ローラ31, 31と、レール30に対して転動する上中下３個の左右振れ防止ローラ32, 33, 32と、を備えている。例えば、上記レール30の横断面形状としては、側内方へ開口状のコ字状部30ａと、このコ字状部30ａの開口端縁部から後方へ延伸した一文字部（帯板部）30ｂと、から成る。
【００１８】
上記前後振れ防止ローラ31, 31は、レール30の横断面コ字状部30ａによって形成された（上下方向の）凹溝49内に嵌入状として、上記凹溝49の前後方向の側面に接触して転動する。また、左右振れ防止ローラ32, 33は、レール30の横断面一文字部（帯板部）30ｂを左右から挾持するように接触して、転動する。これらのローラ31，32, 33は、昇降基枠７の取付片部７ｂに枢着されている。
そして、レール30には上下多段の係止雌部34…を形成する。具体的には図11と図６等に示すように、横断面コ字状部30ａの後方側壁に、上下多段に角孔を貫設して、係止雌部34…とする。この係止雌部34に対して係脱自在として係止雄部材35を昇降基枠７の取付片部７ｂに前後スライド可能に付設する。図例では、この係止雄部材35は（例えば）３個の爪片を有し、同時に３個の係止雌部34に係合する。なお、図11に示すように、弾発部材（コイルスプリング等）42によって、この係止雄部材35は常時後方向へ弾発付勢されており、係止雌部34に対して係合する方向に常時弾発付勢される。
【００１９】
また、天板４の前端縁４ｂの裏面に設けた操作部材36と、上記係止雄部材35とを、プッシュプルワイヤ37にて連動連結する。なお、このプッシュプルワイヤ37は、１個の操作部材36にて、左右一対の係止雄部材35が往復作動するように中間に分岐部を付設する。さらに、38は方向変換用のローラであり、プッシュプルワイヤ37の作動ワイヤ芯材を方向変換させて、係止雄部材35の取付部39に連結する。
好ましくは、図３〜図５に於て２点鎖線で示すように天板４の一部に透視窓部40を形成して、身体弱者の脚部の状況や、車椅子と身体との関係状況等を、上方から透視（観察）できるようにするのが良い。勿論、この透視窓部40には、アクリル樹脂等の透明板を固着しておく。
【００２０】
図１からも分かるように、天板４の最上昇状態に於て、支柱２の頂部２ａは、最上昇状態の天板４と略同一高さであり、全体の高さがコンパクトとなり、他の物と干渉せずに、取扱い易い。
図７に示した天板４の水平状態から、図８に示す前方下傾の中間傾斜状態を複数段に（容易に）天板姿勢保持機構Ａによって、切換可能である。しかも、引続いて、この天板姿勢保持機構Ａによって、図９に示した垂直収納状態（不使用状態）にまで容易に切換が可能であり、全体として、２つの機構を必要としない。このように構造の簡素化が図られている。
【００２１】
図２に示したように天板４の下降状態では畳や床に座った（あぐら）姿勢にて使い易く、しかも、（図示省略するが、）この図２の状態から天板４を前方下傾に傾斜すれば、読書や各種作業や工作や絵を描くこと等も楽にできる。さらに、図示省略するが、天板４の凹部29の底辺に沿って、所定長さのストッパ部材を、天板４の上面よりも僅かに上方突出状に設けるも好ましく、特に、このストッパ部材を上下動可能に設けて、天板４の上面から突出状、及び、同一平面以下の非突出状に、切換自在とするのが、望ましい。また、椅子やソファーや車椅子に着座した姿勢に合わせて、上昇付勢機構Ｃにて適度の軽さにて、容易に所望の高さに昇降できる。天板４上には、ＯＡ機器、食器類、食べ物、本、道具類、スケッチブック、ノート等が載置でき、また、ベッドサイドテーブルとしても使用でき、多くの用途に使用可能である。
図９に示すように天板４は支柱２の前方に垂直状態に収納されるので、例えば、施設や学校等で複数台を使用している場合、基台枠１を左右に少しずつ位置をずらせて、全体をコンパクトに格納可能である。また、ベッドサイドでの収納時には、図９に示す横置部材３をベッド下に差入れて、邪魔とならないように収納できる。特に、この横置部材３の上面高さを低く設定して、低床ベッドの下部へも差入可能である。
【００２２】
また、本発明に係る昇降テーブルは、従来の（四節）平行リンク機構のもののように昇降時に天板が前後に移動せず、使用している人と天板との距離（間隔）が変化せず、昇降作動がスムースであり、使い勝手も優れている。さらに、図２に示すように天板４の最低高さも低く設定できて、床面に十分接近可能である。
【００２３】
また、図６に示すように、係止雄部材35が、レール30に形成された上下多段の係止雌部34に（図示省略の弾発部材の弾発付勢力にて）確実に係合するロック手段を具備しているので、所望の高さに容易に停止・保持できる。レール30自体に係止雌部34を、（例えば、矩形の貫孔にて、）形成したので、製作が容易で、構造の簡略化・簡素化・コンパクト化を図り得た。
なお、図６と図10等で説明したローラ31, 32, 33としては、ベアリングをそのまま用いるも望ましく、ベアリング自身を用いる場合にもローラと呼ぶものと定義する。
【００２４】
また、レール30とローラ31, 32, 33の図６と図10等で説明した配置により、昇降動作がスムースで、前後方向及び左右方向のがたつきが生じない。従って、左右の同期（シンクロ機構が不要である。
そして、天板４の前端縁４ｂ近傍の裏面の操作部材36は操作し易い。かつ、プッシュプルワイヤ37にてストッパー用（ロック用）の係止雄部材35に連繋されており、円滑なロックと解除の作動が可能となる。
【００２５】
本発明に係る昇降テーブルは、上述の如く、左右一対の支柱２，２を後部に有する基台枠１と、該支柱２，２に沿って昇降自在に付設された昇降基枠７と、該昇降基枠７に対し後縁近傍が水平軸心Ｌ1 廻りに回転可能に枢着された天板４とを、具備し、かつ、該天板４を水平状態から前方下傾の中間傾斜状態を経て垂直収納状態までの傾動角度範囲θ内の所定角度に、上記天板４を保持する天板姿勢保持機構Ａを備えているので、構造が簡素で、多種多様な用途に広く用い得ると共に、天板４を所望角度に傾斜させて、用途に応じて使い易いと共にそのまま下方まで傾動すれば、垂直収納状態とできて至便であり、傾動機構と収納折畳機構を別々に必要としない。
【００２６】
また、左右一対の支柱２，２を後部に有する基台枠１と、レール・ローラガイド機構Ｂを介して該支柱２，２に沿って昇降自在に付設された昇降基枠７と、ガススプリング９と定滑車10と動滑車11とワイヤー12を有して上記昇降基枠７を上昇方向に弾発付勢する上昇付勢機構Ｃと、上記昇降基枠７に対し後縁近傍が水平軸心Ｌ1 廻りに回転可能に枢着された天板４とを、具備し、かつ、該天板４を水平状態から前方下傾の中間傾斜状態を経て垂直収納状態までの傾動角度範囲θ内の所定角度に、上記天板４を保持する天板姿勢保持機構Ａを備え、さらに、上記上昇付勢機構Ｃは上記ガススプリング９のストローク長さと上記昇降基枠７の昇降寸法の比を１対２に設定したので、構造が簡素で、多種多様な用途に広く用い得ると共に、天板４を所望角度に傾斜させて、用途に応じて使い易いと共にそのまま下方まで傾動すれば、垂直収納状態とできて至便であり、傾動機構と収納折畳機構を別々に必要としない。さらに、天板４が、従来の（四節）平行リンクのように昇降の途中で前後に移動しないので、使用し易いと共に、ガススプリング９の力が適度な上昇付勢力となって身体弱者でも天板４の高さを調整（変更）し易い。
【００２７】
また、天板姿勢保持機構Ａは、上記水平軸心Ｌ1 廻りに形成した４半円弧状のガイド溝14と該ガイド溝14に沿って形成された複数個の係止凹部15とを有し上記天板４の裏面に固着されたガイド板16と、上記昇降基枠７に付設された操作レバー17と、上記ガイド板16の係止凹部15に係止自在な係止杆18と、該係止杆18と上記操作レバー17とを連動連結する連動部材19と、上記係止杆18又は該連動部材19を上記係止杆18が上記係止凹部15に係合する方向に弾発付勢するスプリング20と、を備えているので、操作が確実かつ容易であり、耐久性にも優れる。
また、上記操作レバー17のグリップ部21を、平面的に見て、水平状態の上記天板４の後端縁４ａの近傍下方位置に、配設したので、不用意に触れて、天板４の傾斜が急変する心配がなく、しかも、意識的に操作しようとすれば、容易確実に行い得る利点がある。
【００２８】
また、上記レール・ローラガイド機構Ｂは、上記支柱２に固着されたレール30と、該レール30に対して転動する前後振れ防止ローラ31，31と左右振れ防止ローラ32，33，32と、を備え、さらに、該レール30には上下多段の係止雌部34を形成すると共に、該係止雌部34に対して係脱自在として係止雄部材35を上記昇降基枠７に付設し、かつ、天板４の前端縁４ｂの裏面に設けた操作部材36と上記係止雄部材35とを、プッシュプルワイヤ37にて連動連結したので、がたつかないで円滑に昇降でき、かつ、確実に所望の天板高さに維持できる。特に、ガススプリング９としては、ロック機構の内蔵されたものでは、ガススプリングの特性として長期放置時の初期作動荷重が大きかったが、本発明では、ガススプリング９自体のロック機構を省略し、かつ上昇付勢機構Ｃを使うことにより長期放置時の初期作動荷重の軽減をはかることができ、迅速かつ確実にロックの解除が可能であり、使い勝手が良好で、特に、身体弱者にとって望ましい昇降テーブルであるといえる。
また、上記天板４の一部に透視窓部40を形成することで、身体弱者の脚部等が、天板４の下方で苦痛を受ける状況でないか等を介護者等が確認できて、安全面も優れる。
【図面の簡単な説明】
【００２９】
【図１】本発明の実施の一形態を示す天板上昇状態の側面図である。
【図２】本発明の実施の一形態を示す天板下降状態の側面図である。
【図３】係止状態を示す平面図である。
【図４】非係止状態を示す平面図である。
【図５】非係止状態を示す平面図である。
【図６】要部拡大説明図である。
【図７】天板が水平状態の側面図である。
【図８】天板が前方下傾の傾斜状態を示す側面図である。
【図９】天板が垂直収納状態を示す側面図である。
【図１０】要部の一部断面平面図である。
【図１１】要部説明のための一部断面平面図である。
【符号の説明】
【００３０】
１  基台枠
２  支柱
４  天板
４ａ  後端縁
４ｂ  前端縁
７  昇降基枠
９  ガススプリング
10  定滑車
11  動滑車
12  ワイヤー
14  ガイド溝
15  係止凹溝
16  ガイド板                                                                    17  操作レバー                                                                  18  係止杆                                                                      19  連動部材                                                                    20  スプリング                                                                  21  グリップ部                                                                  30  レール                                                                      31  前後振れ防止ローラ
32  左右振れ防止ローラ
33  左右振れ防止ローラ
34  係止雌部
35  係止雄部材
36  操作部材
37  プッシュプルワイヤ
40  透視窓部                                                                    Ａ  天板姿勢保持機構
Ｂ  レール・ローラガイド機構
Ｃ  上昇付勢機構
Ｌ1   水平軸心
θ  傾動角度範囲
【図１】
2006296631.tif 000003
【図２】
2006296631.tif 000004
【図３】
2006296631.tif 000005
【図４】
2006296631.tif 000006
【図５】
2006296631.tif 000007
【図６】
2006296631.tif 000008
【図７】
2006296631.tif 000009
【図８】
2006296631.tif 000010
【図９】
2006296631.tif 000011
【図１０】
2006296631.tif 000012
【図１１】
2006296631.tif 000013